(57)【特許請求の範囲】
【請求項１】
上顎歯列模型及び下顎歯列模型が互いに対向した状態でセットされ、前記上顎歯列模型と前記下顎歯列模型との咬合状態を再現させる咬合器であって、
前記上顎歯列模型を装着する上顎装着部と、
該上顎装着部に装着された前記上顎歯列模型の下方において当該上顎歯列模型に対向して配置される前記下顎歯列模型を支持する下顎支持構造体と、
該下顎支持構造体の上部一側端から横方向に突出し、先端にボール体を備えた第１支軸部と、
前記下顎支持構造体の上部他側端から前記第１支軸部と逆方向に突出し、先端にボール体を備えた第２支軸部と、
前記第１支軸部のボール体を、前方斜め下方に摺動自在に支持する第１支持ブロックと、
前記第２支軸部のボール体を、前方斜め下方に摺動自在に支持する第２支持ブロックと、
前記下顎支持構造体の前端部から前方に向けて突出する第３支軸部と、
該第３支軸部を、左右斜め下方向に振分ガイドする前ガイドブロックと、
前記下顎支持構造体の動きに抗するように当該下顎支持構造体を弾性支持する弾性支持機構を有する咬合器。
【請求項２】
前記下顎支持構造体は、
前記下顎歯列模型を装着する下顎装着部と、
該下顎装着部を吊り下げ支持する吊り下げ支持体とを有し、
前記第１支軸部は、前記吊り下げ支持体の上部一側端から突出し、
前記第２支軸部は、前記吊り下げ支持体の上部他側端から突出し、
前記第３支軸部は、前記下顎装着部の前端部から突出する請求項１記載の咬合器。
【請求項３】
前記弾性支持機構は、
前記吊り下げ支持体の上部をその動きに抗するように弾性支持する上部弾性支持機構と、
前記吊り下げ支持体の下部をその動きに抗するように弾性支持する下部弾性支持機構とを有する請求項２記載の咬合器。
【請求項４】
前記上部弾性支持機構は、前記第１支軸部と前記第２支軸部との間において、前記吊り下げ支持体から後方に延びる複数のスプリングを有する請求項３記載の咬合器。
【請求項５】
前記下部弾性支持機構は、前記吊り下げ支持体の下部から前方に延びる複数のスプリングを有する請求項４記載の咬合器。
【請求項６】
前記第１支軸部と前記第２支軸部との間隔を調整する支軸間調整機構と、
前記第１支持ブロックと前記第２支持ブロックとの間の距離を調整するブロック間調整機構とを有する請求項１乃至５のいずれかに記載の咬合器。
【請求項７】
前記第１支持ブロックの斜め下方の向きを調整する第１下方向き調整機構と、
前記第２支持ブロックの斜め下方の向きを調整する第２下方向き調整機構とを有する請求項１乃至６のいずれかに記載の咬合器。
【請求項８】
前記前ガイドブロックでの前記第３支軸部の左右斜め方向のそれぞれの振分角度を調整する振分角度調整機構を有する請求項１乃至７のいずれかに記載の咬合器。
【発明の詳細な説明】
【技術分野】
【０００１】
本発明は、歯科医療患者の上顎及び／または下顎の補綴物や義歯を製作する際に用いられる上顎歯列模型と下顎歯列模型との咬合状態の確認や調整を行うために使用される咬合器に関する。
【背景技術】
【０００２】
従来、特許文献１に記載される咬合器が知られている。この咬合器では、下顎歯列模型がセットされる下顎模型用支持台及び上顎歯列模型がセットされる上顎模型用支持台のそれぞれが左右前後の四方向に移動可能な構造となり、また、下顎模型用支持台及び上顎模型用支持台のそれぞれがボール体に支持されて全方位に対して傾けることのできる構造となっている。このような構造の咬合器によれば、下顎模型用支持台とともに当該下顎模型用支持台にセットされた下顎歯列模型を左右前後の四方向に移動させたり、その傾きを種々変更させることができ、また、上顎模型用支持台とともに当該上顎模型用支持台にセットされた上顎歯列模型を左右前後の四方向に移動させたり、その傾きを種々変更させたりすることができるので、下顎歯列模型と上顎歯列模型とを正常咬合の位置に簡単に、しかも確実に合わせることができる。
【先行技術文献】
【特許文献】
【０００３】
【特許文献１】特開平７−９５９９０号公報
【発明の概要】
【発明が解決しようとする課題】
【０００４】
ところで、図１Ａ及び図１Ｂに示すように、上歯Ｄmaxが並ぶ人間の上顎Ｍａｘは、頭骨Ｓと一体になっており、頭骨Ｓに対して左右前後に動くことはなく、また、頭骨Ｓに対して傾くこともない。一方、下歯Ｄmanが並ぶ人間の下顎Ｍａｎは、顎関節ＴＭＪ（左顎関節ＴＭＪＬ、右顎関節ＴＭＪＲ）により可動的に頭骨Ｓと結合している。顎関節ＴＭＪ（ＴＭＪＬ，ＴＭＬＲ）は、頭骨Ｓ側に形成された下顎窟ＭＦ（左下顎窟ＭＦＬ、右下顎窟ＭＦＲ）と、図１Ａ及び図１Ｂとともに図２に示すように、下顎Ｍａｎの後端上部に形成された下顎頭ＭＨ（左下顎頭ＭＨＬ，右下顎頭ＭＨＲ）とから構成され、下顎頭ＭＨ（ＭＨＬ，ＭＨＲ）が下顎窟ＭＦ（ＭＦＬ，ＭＦＲ）に遊嵌した状態で、下顎Ｍａｎが頭骨Ｓに結合している。
【０００５】
そして、口を開ける際に、図１Ｂとともに図３に示すように、下顎Ｍａｎの下顎頭ＭＨ（左下顎頭ＭＨＬ、右下顎頭ＭＨＲ）が、下顎窟ＭＦ（左下顎窟ＭＨＬ、右下顎窟ＭＨＲ）内を前方に移動しつつ、下顎頭ＭＨ（左下顎頭ＭＨＬ、右下顎頭ＭＨＲ）を支点にして、下顎Ｍａｎが上顎Ｍmaxから離れるように動く。一方、口を閉じる際には、下顎頭ＭＨ（左下顎頭ＭＨＬ、右下顎頭ＭＨＲ）を支点にして、下顎Ｍａｎが上顎Ｍmaxに近づきつつ、下顎Ｍａｎの下顎頭ＭＨ（左下顎頭ＭＨＬ、右下顎頭ＭＨＲ）が下顎窟ＭＦ（左下顎窟ＭＨＬ、右下顎窟ＭＨＲ）の奥方に移動し、下顎Ｍａｎの下歯Ｄmanが上顎Ｍmaxの上歯Ｄmaxに噛み合う。
【０００６】
また、下顎Ｍａｎが左側方に動く際には、下顎Ｍａｎは、図４に示すように、左下顎窟ＭＦＬに嵌っている左下顎頭ＭＨＬを支点にして動き、右下顎頭ＭＨＲが右下顎窟ＭＦＲ内を前方に移動しながら下顎Ｍａｎ全体が左方に動く。一方、下顎Ｍａｎが右側方に動く際には、下顎Ｍａｎは、右下顎窟ＭＦＲに嵌っている右下顎頭ＭＨＲを支点にして動き、左下顎頭ＭＨＬが左下顎窟ＭＦＲ内を前方に移動しながら下顎Ｍａｎ全体が右方に動く（図示略）。
【０００７】
ところで、上述したような下顎Ｍａｎの側方運動時に、上歯Ｄmaxの犬歯と下歯Ｄmanの犬歯とが接触しながら下顎Ｍａｎが誘導されて臼歯部が離開した状態で咬合する。このような咬合様式を犬歯誘導咬合といい、下顎Ｍａｎの側方運動時に、臼歯部に側方圧がかからず、理想的な咬合様式の一つであるとされている。
【０００８】
前述した従来の咬合器（特許文献１参照）では、下顎模型用支持台にセットされた下顎歯列模型を左右前後の四方向に移動させたり、その傾きを種々変更させることができ、また、上顎模型用支持台にセットされた上顎歯列模型を左右前後の四方向に移動させたり、その傾きを種々変更させたりすることはできるが、固定された上顎歯列模型に対して犬歯誘導咬合を模した下顎歯列模型の動きを再現することが難しい。このため、上顎歯列模型の義歯や補綴物と下顎歯列模型の義歯や補綴物とが犬歯誘導咬合様式にて咬合するように調整すること、あるいは、犬歯誘導咬合様式にて咬合するか否かを判断することが難しい。
【０００９】
本発明は、このような事情に鑑みてなされたもので、セットされた上顎歯列模型に対して犬歯誘導咬合を模した下顎歯列模型の動きを容易に再現することができる咬合器を提供するものである。
【課題を解決するための手段】
【００１０】
本発明に係る咬合器は、上顎歯列模型及び下顎歯列模型が互いに対向した状態でセットされ、前記上顎歯列模型と前記下顎歯列模型との咬合状態を再現させる咬合器であって、前記上顎歯列模型を装着する上顎装着部と、該上顎装着部に装着された前記上顎歯列模型の下方において当該上顎歯列模型に対向して配置される前記下顎歯列模型を支持する下顎支持構造体と、該下顎支持構造体の上部一側端から横方向に突出し、先端にボール体を備えた第１支軸部と、前記下顎支持構造体の上部他側端から前記第１支軸部と逆方向に突出し、先端にボール体を備えた第２支軸部と、前記第１支軸部のボール体を、前方斜め下方に摺動自在に支持する第１支持ブロックと、前記第２支軸部のボール体を、前方斜め下方に摺動自在に支持する第２支持ブロックと、前記下顎支持構造体の前端部から前方に向けて突出する第３支軸部と、該第３支軸部を、左右斜め下方向に振分ガイドする前ガイドブロックと、前記下顎支持構造体の動きに抗するように当該下顎支持構造体を弾性支持する弾性支持機構とを有する構成となる。
【００１１】
このような構成により、下顎支持構造体は、第１支持ブロックによって支持される、当該下顎支持構造体の上部一側端、例えば、上部右側端から突出する第１支軸部のボール体と、第２支持ブロックによって支持される、当該下顎支持構造体の上部他側端である上部左側端から突出する第２支軸部のボール体とによって支持されるとともに、弾性機構によって弾性支持された状態になっている。そして、上顎歯列模型が上顎装着部に装着され、下顎歯列模型が下顎支持構造体に支持された状態で、下顎支持構造体の前端部が、例えば、左斜め下方に押されると、該下顎支持構造体の前端部から前方に突出する第３支軸部が、前ガイドブロックにより左斜め下方向にガイドされつつ移動する。この下顎支持構造体の前端部の左斜め下方への移動に伴って、第１支軸部のボール体が第１支持ブロック内の摺動面を前方斜め下方に摺動するとともに、第２支軸部のボール体が摺動面を前方斜め下方に摺動することなく第２支持ブロックに支持された状態が維持される。よって、下顎支持構造体が、弾性機構による当該支持構造体の動きに抗する弾性作用を受けつつ、第２支軸部のボール体を支点にして概ね左斜め下方に回動する。
【００１２】
また、下顎支持構造体の前端部が、前述したのとは逆に、例えば、右斜め下方に押されると、前記第３支軸部が、前ガイドブロックにより右斜め下方にガイドされつつ移動する。この下顎支持構造体の前端部の右斜め下方への移動に伴って、第２支軸部のボール体が第２支持ブロック内の摺動面を前方斜め下方に摺動するとともに、第１支軸部のボール体が摺動面を斜め下方に摺動することなく第１支持ブロックに支持された状態が維持される。よって、下顎支持構造体が、弾性支持機構による当該下顎支持構造体の動きに抗する弾性作用をうけつつ、第１支軸部のボール体を支点にして概ね右斜め下方に回動する。
【００１３】
上述したように、第２支軸部のボール体を支点にした概ね左斜め下方に、及び、第１支軸部のボール体を支点にした概ね右斜め下方に回動する下顎支持構造体に支持される下顎歯列模型の動きは、上顎装着部に装着された上顎歯列模型に対して、左側方に動きながら徐々に開く動き、及び右側方に動きながら徐々に開く動きとなる。ここで、第１支軸部のボール体及びそれを支持する第１支持ブロックは、例えば、図１Ａ乃至図４に示す下顎Ｍａｎにおける右下顎頭ＭＨＲ及び右下顎窟ＭＦＲを模したものと、第２支軸部のボール体及びそれを支持する第２支持ブロックは、下顎Ｍａｎにおける左下顎頭ＭＨＬ及び左下顎窟ＭＦＬを模したものとみることができる。
【００１４】
本発明に係る咬合器において、前記下顎支持構造体は、前記下顎歯列模型を装着する下顎装着部と、該下顎装着部を吊り下げ支持する吊り下げ支持体とを有し、前記第１支軸部は、前記吊り下げ支持体の上部一側端から突出し、前記第２支軸部は、前記吊り下げ支持体の上部他側端から突出し、前記第３支軸部は、前記下顎装着部の前端部から突出する構成とすることができる。
【００１５】
このような構成により、下顎歯列模型が装着される下顎装着部と当該下顎装着部を吊り下げ支持する吊り下げ支持体とが、一体となって、第１支持ブロックに摺動自在に支持される第１支軸部のボール体と、第２支持ブロックに摺動自在に支持される第２支軸部のボール体とによって支持される。そして、前記下顎装着部の前端部が、例えば、左斜め下方に押されると、下顎装着部の前端部から前方に突出する第３支軸部が、前ガイドブロックにより左斜め下方向にガイドされつつ移動する。この下顎装着部の前端部の左斜め下方への移動に伴って、下顎装着部及び吊り下げ支持体が、一体となって、弾性支持機構による当該下顎装着部及び吊り下げ支持体の動きに抗した弾性作用を受けつつ、第２支軸部のボール体を支点にして概ね左斜め下方に回動する。また、前記下顎装着部の先端部が、例えば、右斜め下方に押されると、前記第３支軸部が、前ガイドブロックにより右斜め下方にガイドされつつ移動する。この下顎装着部の前端部の右斜め下方への移動に伴って、下顎装着部及び吊り下げ支持体が、一体となって、弾性支持機構による当該下顎装着部及び吊り下げ支持体の動きに抗した弾性作用を受けつつ、第１支軸部のボール体を支点にして概ね右斜め下方に回動する。前記第２支軸部のボール体を支点にした概ね左斜め下方に、及び、第１支軸部のボール体を支点にした概ね右斜め下方に吊り下げ支持体とともに回動する下顎装着部に装着される下顎歯列模型の動きは、上顎装着部に装着された上顎歯列模型に対して、左側方に動きながら徐々に開く動き、及び右側方に動きながら徐々に開く動きとなる。
【００１６】
本発明に係る咬合器において、前記弾性支持機構は、前記吊り下げ支持体の上部をその動きに抗するように弾性支持する上部弾性支持機構と、前記吊り下げ支持体の下部をその動きに抗するように弾性支持する下部弾性支持機構とを有する構成とすることができる。
【００１７】
このような構成により、下顎歯列模型が装着される下顎装着部を吊り下げ支持する吊り下げ支持体が、上部弾性支持機構と下部弾性支持機構とによって、当該吊り下げ支持体の動きに抗するように弾性支持される。
【００１８】
本発明に係る咬合器において、前記上部弾性支持機構は、前記第１支軸部と前記第２支軸部との間において、前記吊り下げ支持体から後方に延びる複数のスプリングを有する構成とすることができる。
【００１９】
このような構成により、下顎歯列模型が装着される下顎装着部と吊り下げ支持体とが、全体として、吊り下げ支持体の上部の第１支軸部と第２支軸部との間に作用する複数のスプリング力によって弾性支持される。
【００２０】
本発明に係る咬合器において、前記下部弾性支持機構は、前記吊り下げ支持体の下部から前方に延びる複数のスプリングを有する構成とすることができる。
【００２１】
このような構成により、下顎歯列模型が装着される下顎装着部と吊り下げ支持体とが、全体として、吊り下げ支持体の下部に作用する複数のスプリングによる力によって弾性支持される。
【００２２】
本発明に係る咬合器において、前記第１支軸部と前記第２支軸部との間隔を調整する支軸間調整機構と、前記第１支持ブロックと前記第２支持ブロックとの間の距離を調整するブロック間調整機構とを有する構成とすることができる。
【００２３】
このような構成により、下顎支持構造体にて支持される下顎歯列模型の大きさに応じて、第１支軸部と第２支軸部との間の間隔を調整することができ、そして、それら第１支軸部のボール体と第２支軸部のボール体とを適正に支持することができるように第１支持ブロックと第２支持ブロックとの間の距離を調整することができる。
【００２４】
本発明に係る咬合器において、前記第１支持ブロックの斜め下方の向きを調整する第１下方向き調整機構と、前記第２支持ブロックの斜め下方の向きを調整する第２下方向き調整機構とを有する構成とすることができる。
【００２５】
下顎歯列模型に対応した左下顎窟及び右下顎窟をより忠実に模するように、第１支持ブロック及び第２支持ブロックそれぞれの斜め下方の向きを調整することができる。
【００２６】
本発明に係る咬合器において、前記前ガイドブロックでの前記第３支軸部の左右斜め方向のそれぞれの振分角度を調整する振分角度調整機構を有する構成とすることができる。
【００２７】
このような構成により、前ガイドブロックによる第３支軸部の左右斜め方向のそれぞれの振分角度を調整することができるので、下顎支持構造体の下方に向けた回動に対する、左方向及び右方向への回動の割合を調整することができる。
【発明の効果】
【００２８】
本発明に係る咬合器によれば、第２支軸部のボール体を支点にした概ね左斜め下方に、及び、第１支軸部のボール体を支点にした概ね右斜め下方に回動する下顎支持構造体に支持される下顎歯列模型の動きは、上顎装着部に装着された上顎歯列模型に対して、左側方に動きながら徐々に開く動き、及び右側方に動きながら徐々に開く動きとなる。従って、上顎装着部に装着された上顎歯列模型に対して、左方、及び、右方に動きつつ、犬歯に誘導されて徐々に開いて臼歯部に側方圧がかからない犬歯誘導を模した下顎歯列模型の動きを容易に再現することができる。
【図面の簡単な説明】
【００２９】
【図１Ａ】口を閉じた状態での人の顎の構造を示す図である。
【図１Ｂ】口を開いた状態での人の顎の構造を示す図である。
【図２】人の下顎の構造を示す斜視図である。
【図３】下顎の動きを示す側面図である。
【図４】下顎の動きを示す平面図である
【図５】本発明の実施の一形態を示す咬合器を示す斜視図である。
【図６】本発明の実施の一形態に係る咬合器を示す分解斜視図である。
【図７】本発明の実施の一形態に係る咬合器を示す正面図である。
【図８】本発明の実施の一形態に係る咬合器を示す側面図である。
【図９】本発明の実施の一形態に係る咬合器を示す平面図である。
【図１０】本発明の実施の一形態に係る咬合器の図７に示すIV(b)-IV(b)線で切断した断面を示す断面図である。
【図１１】本発明の実施の一形態に係る咬合器における下顎支持構造体を示す斜視図である。
【図１２】図１１に示す下顎支持構造体と人の下顎との対応関係を示す図である。
【図１３】図１１に示す下顎支持構造体における吊り下げ支持フレーム体の支持構造を示す分解斜視図である。
【図１４】吊り下げ支持フレーム体の支持構造の要部を示す分解斜視図である。
【図１５】下部支持台の前支軸部を摺動自在に支持する前ガイドブロックの構造を示す分解斜視図である。
【図１６Ａ】下部支持台の前支軸部が前ガイドブロックの中立位置にある状態を示す斜視図である。
【図１６Ｂ】下部支持台の前支軸部が前ガイドブロックの中立位置にある状態を示す正面図である。
【図１７】下部支持台の前支軸部が前ガイドブロックにより右側に振り分けられた状態を示す斜視図である。
【図１８】下部支持台の前支軸部が前ガイドブロックにより左側に振り分けられた状態を示す斜視図である。
【図１９】下部支持台の前支軸部が前ガイドブロックにより左右に振り分けられる状態を示す正面図である。
【図２０】前ガイドブロックによる下部支持台の前支軸部の振分角度の調整範囲について示す図である。
【図２１】人の上顎と下顎との咬合平面とフランクフルト平面との関係を示す図である。
【図２２Ａ】下顎支持構造体の先端部が右斜め下方に動いた状態の咬合器を示す正面図である。
【図２２Ｂ】下顎支持構造体の先端部が右斜め下方に動いた状態の咬合器を示す側面図である。
【図２３】下顎支持構造体の先端部が右斜め下方に動いた状態での右支軸部（ボール体）及び左支軸部（ボール体）の右支持ブロック及び左支持ブロック内での位置及び吊り下げ支持フレームの状態を示す図である。
【図２４Ａ】下顎支持構造体の先端部が左斜め下方に動いた状態の咬合器を示す正面図である。
【図２４Ｂ】下顎支持構造体の先端部が左斜め下方に動いた状態の咬合器を示す正面図である。
【図２５】下顎支持構造体の先端部が左斜め下方に動いた状態での右支軸部（ボール体）及び左支軸部（ボール体）の右支持ブロック及び左支持ブロック内での位置及び吊り下げ支持フレームの状態を示す図である。
【図２６Ａ】下顎支持構造体が中立位置にある状態の咬合器を示す正面図である。
【図２６Ｂ】下顎支持構造体が中立位置にある状態での、吊り下げフレーム体から突出する右支軸部及び左支軸部とそれぞれを摺動自在に支持する右支持ブロック及び左支持ブロックとの位置関係を示す平面図である。
【図２６Ｃ】下顎支持構造体が中立位置にある状態での、吊り下げフレーム体から突出する右支軸部とそれを摺動自在に支持する右支持ブロックとの位置関係を拡大して示す斜視図である。
【図２６Ｄ】下顎支持構造体が中立位置にある状態での、吊り下げフレーム体から突出する左支軸部とそれを摺動自在に支持する左支持ブロックとの位置関係を示す斜視図である。
【図２７Ａ】下顎支持構造体の先端部が左斜め下方に動いた状態にある咬合器を示す正面図である。
【図２７Ｂ】下顎支持構造体の先端部が左斜め下方に動いた状態での、吊り下げフレーム体から突出する右支軸部及び左支軸部とそれを摺動自在に支持する右支持ブロック及び左支持ブロックとの位置関係を示す平面図である。
【図２７Ｃ】下顎支持構造体の先端部が左斜め下方に動いた状態での、吊り下げフレーム体から突出する右支軸部とそれを摺動自在に支持する右支持ブロックとの位置関係を拡大して示す斜視図である。
【図２７Ｄ】下顎支持構造体の先端部が左斜め下方に動いた状態での、吊り下げフレーム体から突出する左支軸部とそれを摺動自在に支持する左支持ブロックとの位置関係を拡大して示す斜視図である。
【図２８Ａ】下顎支持構造体の先端部が更に左斜め下方に移動した状態にある咬合器を示す正面図である。
【図２８Ｂ】下顎支持構造体の先端部が更に左斜め下方に移動した状態での、吊り下げフレーム体から突出する右支軸部及び左支軸部とそれを摺動自在に支持する右支持ブロック及び左支持ブロックとの位置関係を示す平面図である。
【図２８Ｃ】下顎支持構造体の先端部が更に左斜め下方に移動した状態での、吊り下げフレーム体から突出する右支軸部とそれを摺動自在に支持する右支持ブロックとの位置関係を拡大して示す斜視図である。
【図２８Ｄ】下顎支持構造体の先端部が更に左斜め下方に移動した状態での、吊り下げフレーム体から突出する左支軸部とそれを摺動自在に支持する左支持ブロックとの位置関係を拡大して示す斜視図である。
【図２９】上顎と下顎とが犬歯誘導にて離間した状態を示す図である。
【発明を実施するための形態】
【００３０】
本発明の実施の形態について図面を用いて説明する。
【００３１】
本発明の実施の一形態に係る咬合器は、図５乃至図１０に示すように構成される。図５は当該咬合器を示す斜視図であり、図６は当該咬合器を示す分解斜視図であり、図７は当該咬合器を示す正面図であり、図８は当該咬合器を示す側面図であり、図９は当該咬合器を示す平面図であり、図１０は当該咬合器の図７におけるIV(b)-IV(b)線での断面を示す断面図である。なお、咬合器１００にセットされる上顎歯列模型ＤＭ１及び下顎歯列模型ＤＭ２の前後方向及び左右方向を、当該咬合器１００の前後方向及び左右方向として定め、その前後方向及び左右方向に直交する方向、即ち、咬合器１００にセットされる上顎歯列模型ＤＭ１及び下顎歯列模型ＤＭ２の上下方向を当該咬合器１００の上下方向として定めるものとする。
【００３２】
図５乃至図１０に示す咬合器１００は、図１１及び図１２に示すような構造の下顎支持構造体１１０を含んでいる。下顎支持構造体１１０は、下顎支持台６０（下顎装着部）及び吊り下げ支持フレーム体４０（吊り下げ支持体）からなっている。下顎支持台６０は、支持プレート６１と、支持プレート６１の上面に前後動可能に置かれた下顎載置プレート６２と、支持プレート６１の先端から前方に突出し、先端がボール状に形成された前支軸部６３（第３支軸部）とを有している。支持プレート６１に前後方向に延びる長孔（図示されず）が形成されるとともに下顎載置プレート６２に孔（図示略）が形成されており、その長孔及び孔を下顎固定ネジ６４（図８参照）が貫通している。下顎固定ネジ６４の先端部分にはネジ部が形成されており、このネジ部と、下顎載置プレート６２に置かれる下顎マウントプレート６５のネジ孔とが螺合し、下顎マウントプレート６５、下顎載置プレート６２及び支持プレート６１を下顎固定ネジ６４が締め付けることにより、下顎マウントプレート６５が下顎載置プレート６２上に固定される。即ち、下顎マウントプレート６５上に形成された下顎歯列模型ＤＭ２が下顎載置プレート６２上に装着され、下顎支持台６０に支持された状態になる（図５、図６、図８参照）。また、下顎固定ネジ６４の締め付けを緩めると、下顎マウントプレート６５が置かれる下顎載置プレート６２を支持プレート６１の長孔に沿って前後動させることができる。即ち、下顎マウントプレート６５に形成された下顎歯列模型ＤＭ２を前後動させることができる。
【００３３】
吊り下げ支持フレーム体４０は、下辺フレーム部４１、上辺フレーム部４２、右辺フレーム部４３ａ及び左辺フレーム部４３ｂにより四辺形状に形成され、上辺フレーム部４２は下辺フレーム部４１より短く、下辺フレーム部４１及びそれより短い上辺フレーム部４２それぞれの対応する端部をつなぐ右辺フレーム４３ａ及び左辺フレーム４３ｂはそれぞれ段付きの形状となっている。下顎支持台６０の支持プレート６１が吊り下げ支持フレーム体４０の下辺フレーム部４１から前方に向けて突出するように当該下辺フレーム部４１にネジ止め固定されている（図６参照）。
【００３４】
また、図１３に示すように、吊り下げフレーム体４０における上辺フレーム部４２の左側端部には、左端面で開口するように所定深さの取付け穴４４ｂが形成されるとともに、その取付け穴４４ｂに直交するように、前後方向に貫通する通孔４５ｂが形成されている。なお、上辺フレーム部４２の右側端部にも、同様に、取付け穴４４ａと通孔４５ａとが形成されている（図１４参照）。図１３とともに図１４に示すように、上辺フレーム部４２の右側端部及び左側端部において、一端面にフランジの形成されたスリーブ体４７ａ、４７ｂが通孔４５ａ、４５ｂに嵌まり込んでいる。筒状のスリーブ体４７ａ、４７ｂには、それに直交するように通孔が形成されており、前記フランジが上辺フレーム部４２の表面に当接するまでスリーブ体４７ａ、４７ｂを当該上辺フレーム部４２の通孔４５ａ、４５ｂに嵌め込むことにより、取付け穴４４ａ、４４ｂとスリーブ体４７ａ、４７ｂの前記通孔とが連通した状態になる。
【００３５】
軸体４６１と軸体４６１の先端に形成されたボール体４６２とによって右支軸部４６ａ（第１支軸部）及び左支軸部４６ｂ（第２支軸部）のそれぞれが構成されている（図１３、図１４参照）。スリーブ体４７ａ、４７ｂが上辺フレーム部４２の通孔４５ａ、４５ｂに適正に嵌め込まれた状態で、右支軸部４６ａ及び左支軸部４６ｂの軸体４６１が、連通する取付け穴４４ａ、４４ｂ及びスリーブ体４７ａ、４７ｂの前記通孔に挿入される。これにより、スリーブ体４７ａ、４７ｂが取付け穴４４ａ、４４ｂから抜けない状態になる。そして、スリーブ体４７ａ、４７ｂの内面にはネジ部が形成されており、スリーブ体４７ａ、４７ｂの前記フランジが形成された端部と逆側の端部からネジ４８ａ、４８ｂを当該ネジ部に螺合させて締め込むことにより、スリーブ体４７ａ、４７ｂを貫通する右支軸部４６ａ、左支軸部４６ｂの軸体４６１がスリーブ体４７ａ、４７ｂ内、即ち、取付け穴４４a、４４ｂ内で固定される。これにより、図１２に示すように、下顎支持構造体１１０は、吊り下げフレーム体４０の上辺フレーム部４２の右側端部から右支軸部４６ａのボール体４６２が突出し、上辺フレーム部４２の左側端部から左支軸部４６ｂのボール体４６２が突出した構造となる。
【００３６】
ネジ４８ａ、４８ｂを緩めた状態で、右支軸部４６ａ及び左支軸部４６ｂそれぞれの軸体４６１の取付け穴４４ａ、４４ｂ内での位置を調整することにより、右支軸部４６ａのボール体４６２と左支軸部４６のボール体４６２との間隔を調整することができる（支軸間調整機構）。
【００３７】
また、図５乃至図１０に示す咬合器１００において、ベース板１０の前部両隅に右支柱１１ａ及び左支柱１１ｂが立設されるとともに、後部両隅にＬ字形状の右架台プレート１２ａ及び左架台プレート１２ｂが設けられている。そして、図１３に咬合器１００の左側後方部分の構造が詳細に示されるように、左架台プレート１２ｂの先端面に左支持プレート２１ｂがネジ止め固定されている。左支持プレート２１ｂには横方向（左右方向）に延びる溝部２１１が形成されている。また、左支持プレート２１ｂは単なる矩形状ではなく、部分的にでっぱった形状となっており、そのでっぱった部分の端縁に、後述する上顎装着部５０を回動自在に保持する保持プレート２５を取り付けるための左取付けプレート台２２ｂが固定されている。左支持プレート２１ｂの溝部２１１が形成された部分に左スライドプレート２３ｂが重ねられており、左スライドプレート２３ｂに形成された線状突起部２３１が左支持プレート２１ｂの溝部２１１に嵌り込んでいる。左スライドプレート２３ｂには横方向に延びる長孔２３２が形成されており、左スライドプレート２３ｂは、長孔２３２を通したネジにより左支持プレート２１ｂに締め付け固定されている。そして、長孔２３２を通したビスの締め付けを緩めた状態で、左スライドプレート２３ｂは、線状突起部２３１が溝部２１１内を摺動しながら、左支持プレート２１ｂ上を左右方向に、長孔２３１の長さ範囲内で、移動可能である。
【００３８】
左スライドプレート２３ｂの右縁部分に左ブロック取付けプレート２４ｂがネジ止め固定されている。左ブロック取付けプレート２４ｂには、左支持ブロック３０ｂ（第２支持ブロック）を回動自在に支持する支軸ピン（図示されず）が設けられており、その支軸ピンを中心とした所定の弧形状となる弧状長孔２４１が形成されている。左支持ブロック３０ｂは、ブロック本体３１ｂとカバープレート３２ｂとから構成されている。ブロック本体３１ｂに形成された軸受け穴に左ブロック取付けプレート２４ｂの前記支軸ピンが嵌まり込むように、ブロック本体３１ｂが左ブロック取付けプレート２４ｂに前方斜め下方に傾斜した状態で装着されている。そして、弧状長孔２４１を通したネジによりブロック本体３１ｂ（左支持ブロック３０ｂ）が左ブロック取付けプレート２４ｂに締め付け固定される。弧状長孔２４１を通したビスの締め付けを緩めた状態で、ブロック本体３１ｂ（左支持ブロック３０ｂ）を軸受け穴に嵌まり込んだ前記支軸ピンを中心として回動させることにより、左支持ブロック３０ｂの斜め下方の向きを調整することができる（第２下方向き調整機構）。
【００３９】
咬合器１００の右側後方部分の構造も前述した左側後方部分（図１３参照）と同様に、ベース板１０に設けられた右架台プレート１２ａに、右支持プレート２１ｂ、右取付けプレート台２２ａ、右スライドプレート２３ａ、及び右ブロック取付けプレート２４ａが、順次、組み付け固定されている（図６参照）。そして、右ブロック取付けプレート２４ａに、左支持ブロック３０ｂと同様にブロック本体３１ａ及びカバープレート３２ａで構成される右支持ブロック３０ａ（第１支持ブロック）が、前方斜め下方に傾斜した状態で装着されている。また、左支持ブロック３０ｂの場合と同様に、右支持ブロック３０ａを右ブロック取付けプレート２４ａに締め付け固定するネジを緩めて、ブロック本体３１ａ（右支持ブロック３０ａ）を軸受け穴に嵌まり込んだ前記支軸ピンを中心として回動させることにより、右支持ブロック３０ａの斜め下方の向きを調整することができる（第１下方向き調整機構）。
【００４０】
また、右支持ブロック３０ａが取り付けられた右ブロック取付けプレート２４ａが固定される右スライドプレート２３ａを固定するネジを緩めて右スライドプレート２３ａを右支持プレート２１ａ上で左右方向にスライドさせるとともに、左支持ブロック３０ｂが取り付けられた左ブロック取付けプレート２４ｂが固定される左スライドプレート２３ｂを固定するネジを緩めて左スライドプレート２３ｂを左支持プレート２１ｂ上で左右方向にスライドさせることにより、右支持ブロック３０ａと左支持ブロック３０ｂとの間の距離を調整することができる（ブロック間調整機構）。
【００４１】
右支持ブロック３０ａ（第１支持ブロック）と左支持ブロック３０ｂ（第２支持ブロック）とは、左右対称の関係にある。右支持ブロック３０ａのブロック本体３１ａ及び左支持ブロック３０ｂのブロック本体３１ｂのそれぞれは、特に右支持ブロック３０ａのブロック本体３１ａの構造を示す図１４に示されるように、ブロック本体３１ａ（３１ｂ）に凹状の摺動面３１１が形成されている。そして、吊り下げ支持フレーム体４０の上辺フレーム部４２の右側端から突出する右支軸部４６ａのボール体４６２が、右支持ブロック４６ａのブロック本体３１ａに形成された凹状の摺動面３１１に所要の遊びをもって納められている。そして、図１１に示すように、カバープレート３２ａがボール体４６２を覆うようにブロック本体３１ａにネジ止め固定されて、ブロック本体３１ａ内でのボール体４６２の浮き上がりを防止している。また、吊り下げ支持フレーム体４０の上辺フレーム４２の左側端から突出する左支軸部４６ｂのボール体４６２も、右支軸部４６ａのボール体４６２と同様に、左支持ブロック３０ｂ（ブロック本体３１ｂ、カバープレート３２ｂ）に納められている（図１１参照）。このようにして、吊り下げ支持フレーム体４０の上部（上辺フレーム部４２）右側端から突出する右支軸部４６ａのボール体４６２が右支持ブック３０ａによって前方斜め下方に摺動自在に支持され、吊り下げ支持フレーム体４０の上部（上辺フレーム部４２）左側端から突出する左支軸部４６ｂのボール体４６２が左支持ブロック３０ｂによって前方斜め下方に摺動自在に支持されている。
【００４２】
更に、図５乃至図１０に示す咬合器１００において、図１２に示すように、下顎支持構造体１１０の下顎支持台６０の支持プレート６１の前端部から突出する前支軸部６３が係合するように前ガイドブロック８０が配置されている。具体的には、ベース板１０の前部における右支柱１１ａと左支柱１１ｂとの間に一対の取付けブロック１６ａ、１６ｂが固定されており、その取付けブロック１６ａ、１６ｂに前ガイドブロック８０がネジ止めにより固定されている。前ガイドブロック８０は、図１５に示すように、第１中央ブロック８１ａ、第２中央ブロック８１ｂ、右ブロック８２ａ、左ブロック８２ｂ及び押さえブロック８４が前面プレート１７にネジ止め固定されて一体化されることにより構成される。第１中央ブロック８１ａ、第２中央ブロック８１ｂ、右ブロック８２ａ及び左ブロック８２ｂは、それぞれ扇状のブロック体であって、全体として扇状に配列されている。そして、第１中央ブロック８１ａと右ブロック８２ａとの間に右スライドスペース８３ａが形成され、第２中央ブロック８１ｂと左ブロック８２ｂとの間に左スライドスペース８３ｂが形成されている。
【００４３】
下顎支持台６０の支持プレート６１の前端部から突出する前支軸部６３は、下顎支持構造体１１０（下顎支持６０、吊り下げ支持フレーム体４０）に力が作用していない状態にあるとき、図１６Ａ及び図１６Ｂに示すように、前ガイドブロック８０の扇の中心位置、即ち、扇状の第１中央ブロック８１ａ及び第２中央ブロックの先端部に対応した位置（以下、適宜、中立位置という）にある。このとき、押さえブロック８４により前支軸部６３の浮き上がりが防止される。前支軸部６３は、上記中立位置（図１６Ａ、図１６Ｂ参照）から、図１７に示すように、第１中央ブロック８１ａと右ブロック８２ａとの間の右スライドスペース８３ａ内をガイドされつつ右斜め下方に移動することが可能である。また、前支軸部６３は、上記中立位置から、図１８に示すように、第２中央ブロック８１ｂと左ブロック８２ｂとの間の左スライドスペース８３ｂ内をガイドされつつ左斜め下方に移動することが可能である。従って、下顎支持台６０の支持プレート６１の前端部から突出する前支軸部６３は、図１９に示すように、前ガイドブロック８０により、左右斜め下方に振分ガイドされる。
【００４４】
また、図２０に示すように、第１中央ブロック８１ａと右ブロック８２ａとを前面プレート１７に締め付け固定するネジを緩めた状態で、扇の先端部を中心にして回動させることにより、右スライドスペース８３ａの傾き角度、即ち、前支軸部６３の右斜め下方への振分角度を、所定の角度範囲Ａで調整することができる。また、同様に、第２中央ブロック８１ｂと左ブロック８２ｂとを全面プレート１７に締め付け固定するネジを緩めた状態で、扇の先端部を中心にして回動させることにより、左スライドスペース８３ｂの傾き角度、即ち、前支軸部６３の左斜め下方への振分角度を、所定の角度範囲Ａで調整することができる（振分角度調整機構）。
【００４５】
更に、図５乃至図１０に示す咬合器１００は、上顎装着部５０（公知の咬合器における上弓に相当））を有している。上顎装着部５０は、支持プレート５１及び支持プレート５１の上面に前後動可能に置かれたスライドプレート５３を有している。支持プレート５１に前後方向に延びる長孔（図示されず）が形成されるとともにスライドプレート５３に孔（図示されず）が形成されており、その長孔及び孔を上顎固定ネジ５４が貫通している。上顎固定ネジ５４の先端部分にはネジ部が形成されており、このネジ部と、支持プレート５１の裏側に配置される上顎マウントプレート５６（図８参照）のネジ孔とが螺合し、上顎マウントプレート５６、支持プレート５１及びスライドプレート５２を上顎固定ネジ５４が締め付けることにより、上顎マウントプレート５６が支持プレート５１の裏面側に固定される。即ち、上顎マウントプレート５６に形成された上顎歯列模型ＤＭ１が支持プレート５１に装着された状態になる（図５、図６、図７、図８参照）。また、上顎固定ネジ５４の締め付けを緩めると、上顎マウントプレート５６がスライドプレート５２とともに支持プレート５１の長孔に沿って前後動させることができる。即ち、上顎歯列マウントプレート５６に形成された上顎歯列模型ＤＭ１を前後動させることができる。
【００４６】
また、図５乃至図１０に示す咬合器１００において、前述したように、右架台プレート１２ａに右支持プレート２１ａを介して固定された右取付けプレート台２２ａと、左架台プレート１２ｂに左支持プレート２１ｂを介して固定された左取付けプレート台２２ｂとにビス止め固定された保持プレート２５には、前方に向いて開口する凹状部２５１が形成されている。保持プレート２５の凹状部２５１を挟んで左右の対向する所定位置に一対の受け凹部２５２ａ、２５２ｂが形成されている。上顎装着部５０の支持プレート５１の後方部の所定位置に左右に突出する支持ピン５２ａ、５２ｂが設けられており、支持プレート５１の後方部分が保持プレート２５の凹状部２５１に入り込んだ状態で、支持ピン５２ａ、５２ｂが受け凹部２５２ａ、２５２ｂに嵌め込まれている。そして、保持プレート２５には受け凹部２５２ａ、２５２ｂを覆うように押えプレート２６ａ、２６ｂが固定されている。これら押えプレート２６ａ、２６ｂにより支持プレート５１の支持ピン５２ａ、５２ｂの浮き上がりが防止される。このように、支持ピン５２ａ、５２ｂが保持プレート２５の受け凹部２５２ａ、２５２ｂに嵌め込まれていることにより、それら支持ピン５２ａ、５２ｂを軸にして、支持プレート５１（上顎装着部５０）が回動することが可能となる。
【００４７】
右支柱１１ａの先端と左支柱１１ｂの先端との間に横バー１３が渡してあり、横バー１３は、止めネジ１４ａによって右支柱１１ａの先端に固定されるとともに、止めネジ１４ｂによって左支柱１１ｂの先端に固定されている。前述したように、支持ピン５２ａ、５２ｂによって回動自在に保持プレート２５に保持された支持プレート５１の先端部は、横バー１３に達しており、支持プレート５１の先端部が止めネジ５５によって横バー１３に固定される。止めネジ５５を外すことにより、支持プレート５１を支持ピン５２ａ、５２ｂを軸にして回動させて起立させることが可能である。支持プレート５１（上顎装着部５０）の先端部が横バー１３に固定された状態で、支持プレート５１は、ベース板１０と平行な水平状態にある。
【００４８】
更に、図５乃至図１０に示す咬合器１００において、吊り下げ支持フレーム体４０の下辺フレーム４１に、当該下辺フレーム部４１に固定される支持プレート６１の幅より僅かに広い間隔をもって左右に配置される２つの引掛けピン４９ａ、４９ｂが設けられており、ベース板１０の所定部位に、前記引掛けピン４９ａ、４９ｂの間隔と略同じ間隔をもって左右に配置される２つの引掛けピン１５ａ、１５ｂが設けられている。下辺フレーム部４１（吊り下げ支持フレーム体４０の下部）の一方の引掛けピン４９ａと、ベース板１０に設けられた一方の引掛けピン１５ａとに右下部スプリング７１ａが引掛けられている。また、下辺フレーム部４１（吊り下げ支持フレーム体４０の下部）の他方の引掛けピン４９ｂと、ベース板１０に設けられた他方の引掛けピン１５ｂとに左下部スプリング７１ｂが引掛けられている。吊り下げ支持フレーム体４０の下辺フレーム部４１は、右下部スプリング７１ａと左下部スプリング７１ｂの２つのスプリングによって、その動きに抗するように弾性支持される（弾性支持機構：下部弾性支持機構）。
【００４９】
吊り下げ支持フレーム体４０の上辺フレーム部４２の後面に、所定の間隔をもって左右に配置される２つの引掛けピン２８ａ、２８ｂが設けられており、保持プレート２５の後端面に、所定の間隔をもって左右に配置されるＬ字状の２つの引掛けピン２７ａ、２７ｂが設けられている。上辺フレーム部４２（吊り下げ支持フレーム体４０の上部）の一方の引掛けピン２８ａと、保持プレート２５に設けられた一方の引掛けピン２７ａとに右上部スプリング７２ａが引掛けられている。また、上辺フレーム部４２（吊り下げ支持フレーム体４０の上部）の他方の引掛けピン２８ｂと、保持プレート２５に設けられた他方の引掛けピン２７ｂとに左上部スプリング７２ｂが引掛けられている。吊り下げ支持フレーム体４０の上辺フレーム部４２は、右上部スプリング７２ａと左上部スプリング７２ｂの２つのスプリングによって、その動きに抗するように弾性支持される（弾性支持機構：上部弾性支持機構）。
【００５０】
下顎支持構造体１１０、即ち、下顎支持台６０及びそれを吊り下げ支持する吊り下げ支持フレーム４０は、全体として、上述した右下部スプリング７１ａ、左下部スプリング７１ｂ、右上部スプリング７２ａ及び左上部スプリング７２ｂの４つのスプリング（弾性支持機構）によって、当該下顎支持構造体１１０の動きに抗するように弾性支持されている。
【００５１】
上述した構造の咬合器１００では、図１２に示すように、下顎支持構造体１１０の吊り下げ支持フレーム体４０の上辺フレーム部４２の右側端及び左側端から突出する右支軸部４６ａ及び左支軸部４６ｂのボール体４６２が、人の下顎Ｍａｎにおける右下顎頭ＭＨＲ及び左下顎頭ＭＨＬに対応している。そして、右支軸部４６ａ及び左支軸部４６ｂのボール体４６２を支持する右支持ブロック３０ａ及び左支持ブロック３０ｂ（ブロック本体３１ａ）の摺動面３１１（図１３、図１４参照）が、人の下顎Ｍａｎにおける右下顎窟ＭＦＲ及び左下顎窟ＭＦＬ（図１Ａ〜図４参照）に対応している、とみることができる。
【００５２】
上述した構造の咬合器１００の使用例について説明する。
【００５３】
まず、歯科治療患者の上顎歯列模型ＤＭ１が作製される。上顎歯列模型ＤＭ１は、公知の手法に従って作製することができる。また、本願発明者が既に提案している上顎歯列模型調節器（特開２０１３−５２１６９号公報参照）を用いて上顎歯列模型ＤＭ１を作製することもできる。この場合、まず、歯科治療患者の顎部分を含む頭部のＸ線規格写真撮影（セファロＸ線写真撮影）を行う。そして、このＸ線規格写真撮影にて得られた、例えば、図２１に示すようなＸ線規格写真画像（セファロＸ線写真画像）において、歯科治療患者Ｈの眼窩下点（眼窩下孔）と外耳道上線を結んでできる平面であって、歯科治療患者Ｈが直立した際に地表とほぼ平行になるとされるフランクフルト平面ＰＬＦＦと、歯科治療患者Ｈの上顎と下顎との咬合平面ＰＬＯＣＣとのなす角度αが測定される。
【００５４】
特開２０１３−５２１６９号公報に開示される上顎歯列模型調節器において、凹状に彎曲した基準板の傾き角度が、上述したように測定された角度αとなるように、前記基準板の傾きが調整される。基準板が傾いた（角度α）状態で、当該基準板上に上顎の各歯を配列して上顎歯列模型ＤＭ１が作製される（特開２０１３−５２１６９号公報参照）。咬合器１００において、上顎装着部５０（支持プレート５１：上弓に相当）がフランクフルト平面ＰＬＯＣＣに見立てられて、上顎装着部５０に対する上顎歯列模型ＤＭ１の歯列先端が接触する面（咬合平面に相当）のなす角度が前記角度αになるように、当該上顎歯列模型ＤＭ１が上顎装着部５０に装着される。具体的には、例えば、前記角度αに傾き角度が調整された前記上顎歯列模型調節器の基準板上に上顎歯列模型ＤＭ１（上顎マウントプレート５６を伴う）が形成された場合、下顎支持台６０の支持プレート６１上に、下顎載置プレート６２に代えて、前記上顎歯列模型調節器をセットし、その上顎歯列模型調節器上の上顎歯列模型ＤＭ１の形成された上顎マウントプレート５６が支持プレート５１及びスライドプレート５３に止めネジ５４により固定される。これにより、上顎装着部５０に対する上顎歯列模型ＤＭ１の歯列先端が接触する面（咬合面に相当）のなす角度が前記角度αとなった状態で、上顎歯列模型ＤＭ１が上顎装着部５０に装着されることになる。
【００５５】
更に、図２１に示すＸ線規格写真画像において、下顎頭から前方に上顎（または下顎）の、例えば、犬歯の位置までの距離Ｌが測定される。そして、咬合器１００の上顎装着部５０に装着された上顎歯列模型ＤＭ１の犬歯部分と、右支軸部４６ａ、左支軸部４６ｂ（軸体４６１、ボール体４６２）との間の前後方向の距離が、前記Ｌとなるように、止めネジ５４を緩めて、上顎歯列模型ＤＭ１が上顎マウントプレート５６を介して装着されたスライドプレート５３の前後方向の位置が調整される。なお、上顎装着部５０の支持プレート５１の前方部分には目盛が刻まれており（図９参照）、その目盛を目安にしてスライドプレート５３の前後位置を調整することができる。
【００５６】
前述したようにして上顎歯列模型ＤＭ１が上顎装着部５０に装着された後に、上顎歯列模型ＤＭ１に咬合するように作製された下顎歯列模型ＤＭ２が下顎支持構造体１１０の下顎支持台６０に装着される。具体的には、下顎歯列模型ＤＭ２が上顎装着部５０に装着された上顎歯列模型ＤＭ１に咬合するように、当該下顎歯列模型ＤＭ２が下顎マウントプレート６５を介して装着された下顎載置プレート６２の前後方向位置が調整され、適正な位置にて下顎固定ネジ６４を締め付けることにより、下顎歯列模型ＤＭ２が下顎支持台６０に固定される。
【００５７】
上述したようにして、図５、図７及び図８に示すように、上顎歯列模型ＤＭ１及び下顎歯列模型ＤＭ２が咬合器１００にセットされる。そして、次にようにして、上顎歯列模型ＤＭ１と下顎歯列模型ＤＭ２との咬合状態を確認することができる。
【００５８】
下顎支持台６０の前端部が、例えば、右斜め下方に押されると、下顎支持台６０（支持プレート６１）の前端部から前方に突出する前支軸部６３が、図２２Ａ及び図２２Ｂ（図１７も参照）に示すように、前ガイドブロック８０の第１中央ブロック８１ａと右ブロック８２ａとの間の右スライドスペース８３ａに沿ってガイドされて右斜め下方に移動する。この下顎支持台６０の前端部の右斜め下方への移動に伴って、図２３に示すように、左支軸部４６ｂのボール体４６２が左支持ブロック３０ｂ内の摺動面３１１を前方斜め下方に摺動するとともに、右支軸部４６ａのボール体４６２が摺動面３１１を前方斜め下方に摺動することなく右支持ブロック３０ａに支持された状態が維持される。よって、吊り下げ支持フレーム体４０及びそれに吊り下げ支持される下顎支持台６０が、一体となって、右下スプリング７１ａ、左下スプリング７１ｂ、右上スプリング７２ａ及び左上スプリング７２ｂの４つのスプリングによる当該吊り下げ支持フレーム体４０及び下顎支持台６０の動きに抗する弾性作用を受けつつ、右支軸部４６ａのボール体４６２を支点にして概ね右斜め下方に回動する。下顎歯列模型ＤＭ２が装着された下顎支持台６０及び吊り下げ支持フレーム体４０（下顎支持構造体１１０）がこのようにして動くことにより、下顎歯列模型ＤＭ２の動きは、上顎装着部５０に装着された上顎歯列模型ＤＭ１に対して、右方向に移動しながら徐々に開く動きとなる（図２２Ａ参照）。ここで、上述したように下顎支持台６０が、右支軸部４６ｂのボール体４６２を支点にして概ね右斜め下方回動しているので、下顎支持台６０に装着された下顎歯列模型ＤＭ２は、上顎歯列模型ＤＭ１に対して、前記支点からより遠いより左側部分がより速く開いていく傾向にある。
【００５９】
一方、下顎支持台６０の前端部が、例えば、左斜め下方に押されると、下顎支持台６０の前支軸部６３が、図２４Ａ及び図２４Ｂ（図１８も参照）に示すように、前ガイドブロック８０の第２中央ブロック８１ｂと左ブロック８２ｂとの間の左スライドスペース８３ｂに沿ってガイドされて左斜め下方に移動する。この下顎支持台６０の前端部の左斜め下方への移動に伴って、図２５に示すように、右支軸部４６ａのボール体４６２が右支持ブロック３０ａ内の摺動面３１１を前方斜め下方に摺動するとともに、左支軸部４６ｂのボール体４６２が摺動面３１１を前方斜め下方に摺動することなく左支持ブロック３０ｂに支持された状態が維持される。よって、吊り下げ支持フレーム体４０及びそれに吊り下げ支持される下顎支持台６０が、一体となって、右下スプリング７１ａ、左下スプリング７１ｂ、右上スプリング７２ａ及び左上スプリング７２ｂの４つのスプリングによる当該吊り下げ支持フレーム体４０及び下顎支持台６０の動きに抗する弾性作用を受けつつ、左支軸部４６ｂのボール体４６２を支点にして概ね左斜め下方に回動する。下顎歯列模型ＤＭ２が装着された下顎支持台６０及び吊り下げ支持フレーム体４０（下顎支持構造体１１０）がこのようにして動くことにより、下顎歯列模型ＤＭ２の動きは、上顎装着部５０に装着された上顎歯列模型ＤＭ１に対して、左方向に移動しながら徐々に開く動きとなる（図２４Ａ参照）。ここで、上述したように下顎支持台６０が、左支軸部４６ｂのボール体４６２を支点にして概ね左斜め下方回動しているので、下顎支持台６０に装着された下顎歯列模型ＤＭ２は、上顎歯列模型ＤＭ１に対して、前記支点からより遠いより右側部分がより速く開いていく傾向にある。
【００６０】
更に、詳細に説明する。
【００６１】
下顎支持台６０及び吊り下げ支持フレーム体４０（下顎支持構造体１１０）に力が作用せずに、前支軸部６３が、図２６Ａに示すように、前ガイドブロック８０の中立位置にある場合、右支軸部４６ａのボール体４６２が、図２６Ｂ、図２６Ｃ、図２６Ｄに示すように、右支持ブロック３０ａの摺動面３１１の初期位置Ｓｏに維持され、同様に、左支軸部４６ｂのボール体４６２が、初期位置に維持される。この場合、図２６Ａに示すように、下顎支持台６０に装着された下顎歯列模型ＤＭ２は、上顎装着部５０（図示略）に装着された上顎歯列模型ＤＭ１に対して閉じた状態を維持している。
【００６２】
この状態から、例えば、左犬歯による犬歯誘導の動きを再現しようとする場合、下顎支持台６０の前端部分が左斜め下方に押される。すると、前支軸部６３が、前ガイドブロック８０の中立位置（図２６Ａ参照）から、図２７Ａ（図１８も参照）に示すように、第２中央ブロック８１ｂと左ブロック８２ｂとの間の左スライドスペース８３ｂに沿ってガイドされて左斜め下方に移動する。前支軸部６３が前ガイドブロック８０によって左斜め下方に振り分けられて移動する過程で、右支軸部４６ａのボール体４６２が、図２７Ｂとともに図２７Ｃに示すように、右支持ブロック３０ａ（ブロック本体３１ａ）内の摺動面３１１を斜め下方に摺動して初期位置Ｓｏから更に下方の位置Ｓ１に移動する。このとき、左支軸部４６ｂのボール体４６２は、図２７Ｂとともに図２７Ｄに示すように、摺動面３１１を前方斜め下方に摺動することなく左支持ブロック３０ｂに支持された状態が維持される。これにより、吊り下げ支持フレーム体４０及びそれに吊り下げ支持される下顎支持台６０が、一体となって、左支軸部４６ｂのボール体４６２を支点にして概ね左斜め下方に僅かに回動する。このとき、下顎支持台４０に装着された下顎歯列模型ＤＭ２は、図２７Ａに示すように、上顎歯列模型ＤＭ１に対して、左方向に僅かに移動しながら僅かに開く。
【００６３】
更に、下顎支持台６０の前端部が左斜め下方に押され続けると、前ガイドブロック８０の左スライドスペース８３ｂに沿ってガイドされる前支軸部６３が、図２８Ａに示すように、更に左斜め下方に移動する。この下顎支持台６０の更なる左斜め下方への移動に伴って、右支軸部４６ａのボール体４６２が、図２８Ｂとともに図２８Ｃに示すように、右支持ブロック３０ａ（ブロック本体３１ａ）内の摺動面３１１を斜め下方に摺動して前記位置Ｓ１から更に下方の位置Ｓ２に移動する。このとき、左支軸部４６ｂのボール体４６２は、図２８Ｂとともに図２８Ｄに示すように、依然、摺動面３１１を前方斜め下方に摺動することなく左支持ブロック３０ｂに支持された状態が維持される。これにより、吊り下げ支持フレーム体４０及びそれに吊り下げ支持される下顎支持台６０が、一体となって、左支軸部４６ｂのボール体４６２を支点にして更に概ね左斜め下方に回動する。このとき、下顎支持台４０に装着された下顎歯列模型ＤＭ２は、図２８Ａに示すように、上顎歯列模型ＤＭ１に対して、更に左方向に移動しながら、より右側の部分がより速く開く傾向をもって更に開いていく。
【００６４】
上顎歯列模型ＤＭ１と下顎歯列模型ＤＭ２とが適正に作製されている場合、上述したようにして下顎歯列模型ＤＭ２が、左方向に移動しながら、上顎歯列模型ＤＭ１に対して、より右側の部分がより早く開く傾向をもって徐々に開いていく過程で、下顎歯列模型ＤＭ２の左犬歯部分が上顎歯列模型ＤＭ１の左犬歯部分に接触して、それぞれの臼歯部分の間に隙間ができる状態を経ることになる。上顎歯列模型ＤＭ１に対するこのような下顎歯列模型ＤＭ２の動きは、図２９に示すように、下顎Ｍanを左方向に動かす際に、上顎Ｍaxの左犬歯ＣＬmaxと下顎Ｍanの左犬歯ＣＬmanとが接触（Ｅ部分参照）することにより下顎Ｍanが誘導されて上顎Ｍaxに対して開いていく、即ち、犬歯誘導に相当する。この場合、犬歯誘導により、下顎Ｍanは、上顎Ｍaxに対して左斜め下方ＤＤＤＬに動くことになる。
【００６５】
一方、上顎歯列模型ＤＭ１と下顎歯列模型ＤＭ２とが適正に作製されていない場合、下顎支持台６０の先端部が左斜め下方に押されて、下顎歯列模型ＤＭ２が上顎歯列模型ＤＭ１に対して左方向に移動しながら開く際に、例えば、上顎歯列模型ＤＭ１の左犬歯部分と下顎歯列模型ＤＭ２の左犬歯部分とが引っ掛かって、下顎歯列模型ＤＭ２がスムーズに動かない、あるいは、下顎歯列模型ＤＭ２の左犬歯部分が上顎歯列模型ＤＭ１の左犬歯部分に接触して、それぞれの臼歯部分の間に隙間ができる状態を経ることなく下顎歯列模型ＤＭ２が開いてしまう、等の現象が発生する。
【００６６】
なお、上述した咬合器１００の使用例では、左犬歯による犬歯誘導の動きを再現しようとする場合について説明したが、右犬歯による犬歯誘導の動きを再現させる場合は、下顎歯列模型ＤＭ２が装着された下顎支持台６０の前端部が右斜め下方に押される。この場合、左犬歯による犬歯誘導の動きを再現しようとする場合と同様に、上顎歯列模型ＤＭ１と下顎歯列模型ＤＭ２とが適正に作製されていれば、下顎歯列模型ＤＭ２が、右方向に移動しながら、上顎歯列模型ＤＭ１に対して、より左側の部分がより早く開く傾向をもって徐々に開いていく過程で、下顎歯列模型ＤＭ２の右犬歯部分が上顎歯列模型ＤＭ１の右犬歯部分に接触して、それぞれの臼歯部分の間に隙間ができる状態を経ることになる。この下顎歯列模型ＭＤ２の動きが犬歯誘導に相当する。
【００６７】
上述したような咬合器１００によれば、左支軸部４６ｂのボール体４６２を支点とした概ね斜め下方に、及び右支軸部４６ａのボール体４６２を支点とした概ね右斜め下方に回動する下顎支持台６０に支持される下顎歯列模型ＭＤ３の動きは、上顎装着部５０に装着された上顎歯列模型ＭＤ１に対して、左方向に動きながら徐々に開く動き、及び右方向に動きながら徐々に開く動きとなる。従って、上顎装着部５０に装着された上顎歯列模型ＭＤ１に対して、左方、及び、右方に動きつつ、犬歯に誘導されて徐々に開いて臼歯部に側方圧が掛からない犬歯誘導を模した下顎歯列模型ＭＤ２の動きを再現することができる。よって、この咬合器１００を用いて上顎歯列模型ＭＤ１及び下顎歯列模型ＭＤ２の咬合状態を確認し、その確認の結果に基づいて、上顎歯列模型ＭＤ１及び下顎歯列模型ＭＤ２の調整等を行うことにより、理想的な咬合状態の１つのである犬歯誘導による噛み合わせが可能になる上顎及び下顎の義歯を容易に作製することができる。
【００６８】
なお、上述したように、上述した咬合器１００では、下顎支持構造体１１０の吊り下げ支持フレーム体４０の上辺フレーム部４２の右側端及び左側端から突出する右支軸部４６ａ及び左支軸部４６ｂのボール体４６２が、人の下顎Ｍａｎにおける右下顎頭ＭＨＲ及び左下顎頭ＭＨＬに対応し（図１２参照）、右支軸部４６ａ及び左支軸部４６ｂのボール体４６２を支持する右支持ブロック３０ａ及び左支持ブロック３０ｂ（ブロック本体３１ａ）の摺動面３１１（図１３、図１４参照）が、人の下顎Ｍａｎにおける右下顎窟ＭＦＲ及び左下顎窟ＭＦＬ（図１Ａ〜図４参照）に対応するものとしている。従って、実際の歯科治療患者の顎の大きさや構造（図１Ａ〜図４参照）に応じて、右支軸部４６ａのボール体４６２と左支軸部４６ｂのボール体４６２との間隔（スリーブ４７ａ、４７ｂ、ネジ４８ａ、４８ｂを含む構造参照）、右支持ブロック３０ａと左支持ブロック３０ｂとの間の距離（右スライドプレート２３ａ、左スライドプレート２３ｂを含む構造参照）、右支持ブロック３０ｂ及び左支持ブロック３０ｂの斜め下方の向き（右ブロック取り付けプレート２４ａ、左ブロック取付けプレート２４ｂを含む構造参照）、及び前ガイドブロック８０による前支軸部６３の振分角度（図１７、図２０に示す構造参照）のそれぞれを調整することができる。
【産業上の利用可能性】
【００６９】
本発明に係る咬合器は、セットされた上顎歯列模型に対して犬歯誘導咬合を模した下顎歯列模型の動きを容易に再現することができるという効果を有し、歯科医療患者の上顎及び／または下顎の補綴物や義歯を製作する際に用いられる上顎歯列模型と下顎歯列模型との咬合状態の確認や調整を行うために使用される咬合器として有用である。
【符号の説明】
【００７０】
１０  ベース板
１１ａ  右支柱
１１ｂ  左支柱
１２ａ  右架台プレート
１２ｂ  左架台プレート
１３  横バー
１４ａ、１４ｂ  止めネジ
１５ａ、１５ｂ  引掛けピン
１６ａ、１６ｂ  取付けブロック
２１ａ  右支持プレート
２１ｂ  左支持プレート
２２ａ  右取付けプレート台
２２ｂ  左取付けプレート台
２３ａ  右スライドプレート
２３ｂ  左スライドプレート
２４ａ  右ブロック取付けプレート
２４ｂ  左ブロック取付けプレート
２５  保持プレート
２６ａ、２６ｂ  押えプレート
２７ａ、２７ｂ、２８ａ、２８ｂ  引掛けピン
３０ａ  右支持ブロック
３０ｂ  左支持ブロック
３１ａ、３１ｂ  ブロック本体
３２ａ、３２ｂ  カバープレート
４０  吊り下げ支持フレーム体
４１  下辺フレーム部
４２  上辺フレーム部
４３ａ  右辺フレーム部
４３ｂ  左辺フレーム部
４４ａ、４４ｂ  取付け穴
４５ａ、４５ｂ  通孔
４６ａ  右支軸部
４６ｂ  左支軸部
４７ａ、４７ｂ  スリーブ
４８ａ、４８ｂ  ネジ
４９ａ、４９ｂ  引掛けピン
５０  上顎装着部
５１  支持プレート
５２ａ、５２ｂ  支持ピン
５３  スライドプレート
５４、５５  止めネジ
５６  上顎マウントプレート
６０  下顎支持台
６１  支持プレート
６２  下顎載置プレート
６３  前支軸部
６４  下顎固定ネジ
６５  下顎マウントプレート
７１ａ  右下部スプリング
７１ｂ  左下部スプリング
７２ａ  右上部スプリング
７２ｂ  左上部スプリング
８０  前ガイドブロック
８１ａ  第１中央ブロック
８１ｂ  第２中央ブロック
８２ａ  右ブロック
８２ｂ  左ブロック
８３ａ  右スライドスペース
８３ｂ  左スライドスペース
８４  押えブロック
１００  咬合器
１１０  下顎支持構造体
２１１  溝部
２３１  線状突起部
２３２  長孔
２４１  弧状長孔
２５１  凹状部
２５２ａ、２５２ｂ  受け凹部
３１１  摺動面
４６１  軸体
４６２  ボール体
【図１Ａ】
0006494394.tif 000002
【図１Ｂ】
0006494394.tif 000003
【図２】
0006494394.tif 000004
【図３】
0006494394.tif 000005
【図４】
0006494394.tif 000006
【図５】
0006494394.tif 000007
【図６】
0006494394.tif 000008
【図７】
0006494394.tif 000009
【図８】
0006494394.tif 000010
【図９】
0006494394.tif 000011
【図１０】
0006494394.tif 000012
【図１１】
0006494394.tif 000013
【図１２】
0006494394.tif 000014
【図１３】
0006494394.tif 000015
【図１４】
0006494394.tif 000016
【図１５】
0006494394.tif 000017
【図１６Ａ】
0006494394.tif 000018
【図１６Ｂ】
0006494394.tif 000019
【図１７】
0006494394.tif 000020
【図１８】
0006494394.tif 000021
【図１９】
0006494394.tif 000022
【図２０】
0006494394.tif 000023
【図２１】
0006494394.tif 000024
【図２２Ａ】
0006494394.tif 000025
【図２２Ｂ】
0006494394.tif 000026
【図２３】
0006494394.tif 000027
【図２４Ａ】
0006494394.tif 000028
【図２４Ｂ】
0006494394.tif 000029
【図２５】
0006494394.tif 000030
【図２６Ａ】
0006494394.tif 000031
【図２６Ｂ】
0006494394.tif 000032
【図２６Ｃ】
0006494394.tif 000033
【図２６Ｄ】
0006494394.tif 000034
【図２７Ａ】
0006494394.tif 000035
【図２７Ｂ】
0006494394.tif 000036
【図２７Ｃ】
0006494394.tif 000037
【図２７Ｄ】
0006494394.tif 000038
【図２８Ａ】
0006494394.tif 000039
【図２８Ｂ】
0006494394.tif 000040
【図２８Ｃ】
0006494394.tif 000041
【図２８Ｄ】
0006494394.tif 000042
【図２９】
0006494394.tif 000043